(57)【要約】【課題】全体の厚さを薄く抑えるとともに、コストを大幅に削減する。【解決手段】貼付材料２と、金属枠５と、液晶デバイス３と、バックライト４とが順に積層されてなり、金属枠２が液晶デバイス３の周縁を囲う位置に配置され、貼付部材２と液晶デバイス３とが、金属枠５の内側の略全領域にわたって、透明両面テープ６により接着されている表示モジュール１を提供する。【選択図】図１
2013242566.tif 000002
【特許請求の範囲】
【請求項１】
貼付材料と、金属枠と、液晶デバイスと、バックライトとが順に積層されてなり、
前記金属枠が前記液晶デバイスの周縁を囲う位置に配置され、
前記貼付部材と前記液晶デバイスとが、前記金属枠の内側の略全領域にわたって、透明両面テープにより接着されている表示モジュール。
【請求項２】
前記貼付部材が、タッチパネルである請求項１に記載の表示モジュール。
【請求項３】
前記透明両面テープがＯＣＡ光学テープである請求項１または請求項２に記載の表示モジュール。
【請求項４】
前記金属枠が、前記液晶デバイスと前記バックライトとを積層状態に固定している請求項１から請求項３のいずれかに記載の表示モジュール。
【請求項５】
前記液晶デバイスと前記バックライトとが、それらの周縁部において枠状の両面テープにより接着されている請求項１から請求項４のいずれかに記載の表示モジュール。
【発明の詳細な説明】
【技術分野】
【０００１】
本発明は、表示モジュールに関するものである。
【背景技術】
【０００２】
従来、タッチパネルその他の貼付部材を液晶デバイス（以下、ＬＣＤという。）に重ねて配置する場合に、タッチパネルその他の貼付部材を透明なガラスあるいはアクリルの表面上に貼り付けてから、その透明なガラスあるいはアクリルをＬＣＤの周囲に配置された四角い金属枠（上ベゼル）上に両面テープによって固定している。
【発明の概要】
【発明が解決しようとする課題】
【０００３】
しかしながら、従来の表示モジュールは、タッチパネル等の貼付部材を平坦に保持するための透明なガラスあるいはアクリルを、貼付部材とＬＣＤとの間に介在させているので、液晶モジュール全体の厚さがその分、厚くなってしまう上に、コスト高になるという不都合がある。
【０００４】
本発明は、上述した事情に鑑みてなされたものであって、全体の厚さを薄く抑えるとともに、コストを大幅に削減することができる表示モジュールを提供することを目的としている。
【課題を解決するための手段】
【０００５】
上記目的を達成するために、本発明は以下の手段を提供する。
本発明の一態様は、貼付材料と、金属枠と、液晶デバイスと、バックライトとが順に積層されてなり、前記金属枠が前記液晶デバイスの周縁を囲う位置に配置され、前記貼付部材と前記液晶デバイスとが、前記金属枠の内側の略全領域にわたって、透明両面テープにより接着されている表示モジュールを提供する。
【０００６】
本態様によれば、貼付部材と液晶デバイスとが透明両面テープによって略全領域にわたって接着されることで、従来のように透明なガラスやアクリル等のベース材料が不要となり、貼付部材を撓み無く液晶デバイスの表面に保持することができる。これにより、液晶モジュール全体の厚さを薄く抑えることができ、コストを大幅に削減することができる。
【０００７】
上記態様においては、前記貼付部材が、タッチパネルであってもよい。
また、上記態様においては、前記透明両面テープがＯＣＡ光学テープであってもよい。
また、上記態様においては、前記金属枠が、前記液晶デバイスと前記バックライトとを積層状態に固定していてもよい。
さらに、上記態様においては、前記液晶デバイスと前記バックライトとが、それらの周縁部において枠状の両面テープにより接着されていてもよい。
【発明の効果】
【０００８】
本発明によれば、全体の厚さを薄く抑えるとともに、コストを大幅に削減することができるという効果を奏する。
【図面の簡単な説明】
【０００９】
【図１】本発明の一実施形態に係る表示モジュールを示す中心線から半分のみを示した縦断面図である。
【図２】従来の表示モジュールを示す中心線から半分のみを示した縦断面図である。
【発明を実施するための形態】
【００１０】
本発明の一実施形態に係る表示モジュール１について、図面を参照して以下に説明する。
本実施形態に係る表示モジュール１は、図１に示されるように、タッチパネル（貼付材料）２と、液晶デバイス３と、バックライト４とを積層状態に配置して構成されている。
【００１１】
液晶デバイス３とバックライト４とは、それらの周縁部において枠状の両面テープ（図示略）により接着された状態で、金属枠（ベゼル）５によって固定されている。具体的には、金属枠５は、液晶デバイス３の表面の外縁部分を覆う枠部５ａと、該枠部５ａに連結し液晶デバイス３およびバックライト４の外周に厚さ方向に延びる筒状の外周部５ｂと、該外周部５ｂの枠部５ａとは反対側の端部に設けられた爪部５ｃとを備えている。
【００１２】
爪部５ｃは、バックライト４の側面に設けられた凹部４ａに係合するようになっている。これにより、液晶デバイス３とバックライト４とは積層された状態で両面テープにより接着されるとともに、枠部５ａと爪部５ｃとによって厚さ方向に挟まれ、相互に固定されている。
【００１３】
タッチパネル２は、液晶デバイス３との間に金属枠５の枠部５ａを板厚方向に挟むように、液晶デバイス３に対して積層状態に配置され、枠部５ａの内側の略全領域を覆うように配置された透明両面テープ６によって液晶デバイス３に直接貼付されている。透明両面テープ６は、ＯＣＡ（Optical Clear Adhesive）テープであることが好ましい。
【００１４】
このように構成された本実施形態に係る表示モジュール１によれば、タッチパネル２と液晶デバイス３とを略全面にわたって透明両面テープ６で直接貼付しているので、図２に示されるような従来の表示モジュールと比較して、以下の利点がある。
すなわち、従来の表示モジュール１０は、タッチパネル２のような柔軟な貼付部材を平坦な状態に維持するために、先にガラス等のベース部材１１に接着糊等によって貼付してから、その外周部分のみを金属枠５に両面テープ１２によって固定していた。このため、ガラス等のベース部材１１および両面テープ１２の厚さ分だけ表示モジュール１０全体が厚くなっていた。
【００１５】
これに対して、本実施形態に係る表示モジュール１によれば、タッチパネル２のような柔軟な貼付部材を液晶デバイス３に透明両面テープ６によって直接貼付することにより、液晶デバイス３によってタッチパネル２を平坦な状態に維持させているので、タッチパネル２を貼付するガラス等のベース部材１１および両面テープ１２が不要となり、それらの厚さ分だけ表示モジュール１の厚さを低減し、薄型化を図ることができるという利点がある。また、ベース部材１１を不要としたことにより、ベース部材１１および接着糊等の材料コストを低減し、ベース部材１１への貼付作業を不要として作業コストも低減し、全体として大幅な低コスト化を図ることができるという利点がある。
【００１６】
なお、上記実施形態は、本発明の好適な一実施の形態であるが、本発明に係る表示モジュール１はこれに限定されるものではなく、本発明の要旨を逸脱しない範囲において、種々変形、置き換え、改変等することが可能である。
【符号の説明】
【００１７】
１  表示モジュール
２  タッチパネル（貼付材料）
３  液晶デバイス
４  バックライト
５  金属枠
６  透明両面テープ
【図１】
2013242566.tif 000003
【図２】
2013242566.tif 000004